(57)【要約】【課題】各ユニット板間に生ずる隙間を目立たなくすることにより、デザイン性に優れ、遊技の興趣を高めると共に高い商品価値が維持できる弾球遊技機を提供する。【解決手段】弾球遊技機本体Ｐ１の前側に、前記弾球遊技機本体Ｐ１の前面を覆うようにして複数のユニット板７，８をそれぞれ上下に装着し、前記各ユニット板７，８間に生ずる隙間Ｓを挟んで対向するいずれかのユニット板７，８の端縁部に、その長手方向に沿って前側から視認できる飾り枠２２ａ〜２２ｅを設けてなり、前記飾り枠２２ａ〜２２ｅの色はユニット板７，８の色と色相が異なる構成からなる。【選択図】  図１
2004290530.tif 000002
【特許請求の範囲】
【請求項１】
弾球遊技機本体の前側に、前記弾球遊技機本体の前面を覆うようにして複数のユニット板をそれぞれ上下に装着し、前記各ユニット板間に生ずる隙間を挟んで対向するいずれかのユニット板の端縁部に、その長手方向に沿って前側から視認できる飾り枠を設けてなり、前記飾り枠の色はユニット板の色と色相が異なることを特徴とする弾球遊技機。
【請求項２】
前記飾り枠の色は、前記ユニット板の色より彩度が高い請求項１記載の弾球遊技機。
【請求項３】
前記飾り枠の色は、前記ユニット板の色より明度が高い請求項１又は２記載の弾球遊技機。
【請求項４】
前記飾り枠は、透光性を有する部材により成形されている請求項１乃至３のうちいずれか一つの弾球遊技機。
【発明の詳細な説明】
【０００１】
【発明の属する技術分野】
本発明は、弾球遊技機本体の前面のデザイン性がほとんど損なわれないようにして、高い商品価値が維持できる弾球遊技機に関するものである。
【０００２】
【従来の技術】
従来、弾球遊技機の一種であるパチンコ機は、その前面にゲームの内容に合わせ所望のデザインを連続して施すようにしているが、通常、外枠の前面に位置して前枠が開閉可能に設けられ、その前枠前面の上部に遊技盤の前面を覆うユニット板としての透明板保持枠が開閉可能に装着され、また、下部には上皿、下皿等が配置される同じくユニット板としての皿枠が装着されている（例えば、特許文献１参照。）。
【０００３】
【特許文献１】
特開２００２−８５７５７号公報（第２−３頁、図１）
【０００４】
【発明が解決しようとする課題】
しかしながら、このようにパチンコ機の前面にせっかくそのゲームに合った所望のデザインを連続的に施しても、前記各ユニット板が別個に成形されていることから、これらの間、例えば透明板保持枠とその下方に位置する皿枠との間、には必然的に所定幅の隙間が生ずる。このため、パチンコ機全体を前側から眺めた場合、連続的なデザインの途中に隙間によるパーティングラインが存在することになって、これが良く目立ち、連続して統一性のあるデザインが見た目に分断されているような感じを受け、そのデザイン性を損ねて遊技の興趣が高められないという課題があった。
【０００５】
そこで、本発明は上記課題を解決すべくなされたもので、各ユニット板間に生ずる隙間によるパーティングラインを目立たなくすることにより、デザイン性に優れ、遊技の興趣を高めると共に高い商品価値が維持できる弾球遊技機を提供することを目的とするものである。
【０００６】
【課題を解決するための手段】
かかる目的を達成するため、本発明の弾球遊技機は、弾球遊技機本体の前側に、前記弾球遊技機本体の前面を覆うようにして複数のユニット板をそれぞれ上下に装着し、前記各ユニット板間に生ずる隙間を挟んで対向するいずれかのユニット板の端縁部に、その長手方向に沿って前側から視認できる飾り枠を設けてなり、前記飾り枠の色はユニット板の色と色相が異なる構成からなる。
【０００７】
このように、隙間を挟んで対向するいずれかのユニット板の端縁部に、その長手方向に沿って設けられる飾り枠の色は、前記ユニット板の色と色相が異なることから、その飾り枠をその周囲の色より目立たせることができる。よって、これを見た遊技者はその飾り枠に目を奪われてその部分に集中してしまい、逆に、隙間によるパーティングラインが目立たなくなる。これにより、デザイン性がほとんど損なわれることがなく、遊技の興趣を高めることができる。
【０００８】
この際、隙間よりも飾り枠が目立つ方が良く、このため、前記飾り枠の色は、前記ユニット板の色より彩度が高く、また、明度も高い方が良い。更に、飾り枠は、透光性を有する合成樹脂材により成形されていることが好ましい。例えば、各ユニット板を銀色に着色し、飾り枠を赤色に着色された透光性を有する合成樹脂材により成形する。
【０００９】
【発明の実施の形態】
以下、本発明に係る弾球遊技機の実施の形態を図面に基づき説明する。なお、弾球遊技機には、例えばパチンコ機、アレンジボール機または雀球遊技機が挙げられるが、本発明にあっては、その一例としてパチンコ機について説明する。なお、弾球遊技機本体の前側に回動可能または回動し得ないように装着される、例えば後記する透明板保持枠７、下部板８など弾球遊技機本体の前面を覆う、部材をすべて総称してユニット板と称す。
【００１０】
図１は本発明が適用されるパチンコ機の正面図、図２は同透明板保持枠を開いた状態の斜視図である。図において、１はパチンコ機Ｐにおける木製の外枠であって、縦長方形枠状に形成されている。その前面に額縁状をなす合成樹脂製の前枠２が、その一側上下部を前記外枠１の一側上下部に設けた軸支部３，３に軸支して回動自在に装着される。これにより弾球遊技機本体Ｐ１が構成される。また、前枠２の中央には窓口４が開設される。そして、前枠２の裏面に遊技盤５が配置固定され、その前面の遊技部５ａが前記窓口４に臨むようになっている。なお、前枠２は金属製であっても良い。
【００１１】
前記前枠２の前側に、遊技盤５前面の遊技部５ａを覆う２枚の透明板であるガラス板６を備えたユニット板である透明板保持枠７が回動可能に装着され、その下方に回動不能なユニット板である下部板８が装着されている。これら透明板保持枠７及び下部板８は前枠２とほぼ同じ横幅を有し、また、透明板保持枠７の下部には前板部９が一体に延設されている。そして、透明板保持枠７の下縁７ａ及び前面板９の下縁９ａと下部板８の上縁８ａとの間に所定幅の隙間Ｓが生ずることになる。
【００１２】
前記前板部９の前面に、貯留される弾球であるパチンコ球を後記する発射レール２０の発射部２０ａに供給するための打球供給皿１０が装着されている。また、下部板８の前面には、前記打球供給皿１０から溢れるパチンコ球を貯留する余剰球受皿１１が装着されている。１２は、下部板８の前面一側に設けられ、打ち出されるパチンコ球の打球力の強弱を調節する操作ハンドルである。外枠１の前面の最下端部、すなわち下部板８の下方には、外枠１と一体をなす飾板１ａが設けられている。
【００１３】
前記遊技盤５の前面には、遊技部５ａを囲うように内側ガイドレール１３ａと外側ガイドレール１３ｂとが渦巻き状に配設される。前記遊技部５ａには、例えば、ほぼ中央に表示部１４ａを備えた可変表示装置１４が配置され、また、その下方にパチンコ球の入賞により前記表示部１４ａの文字、数字、図形等の表示を変動表示させる始動入賞口１５が配置される。更に、その下方に位置して前記変動した表示が一定の時間経過後に停止して特定の表示（例えば「７７７」）を示し、遊技者にとって有利な特別遊技状態になったとき、一定の条件の下で開閉扉１６を所定回数開成させ一度に多くの入賞球が得られる入賞装置１７などの所謂盤面部品が配設されている。
【００１４】
前記遊技盤５より下側の前枠２の前面中央に樋状部１８が配置され、その上端にファール球排出口１９が設けられている。また、遊技盤５より下側の前記前枠２の前面一側には、ファール球排出口１９を介して外側ガイドレール１３ｂと連なる発射レール２０が配置され、その発射部２０ａに前記操作ハンドル１２と連動する打球槌２１の先端部が臨むようになっている。なお、前記ファール球排出口１９は余剰球受皿１１に連通しており、発射されるも遊技部５ａに打ち込まれずに戻ってこのファール球排出口１９に落下したファール球を余剰球受皿１１に導くようにしている。
【００１５】
前記透明板保持枠７、下部板８、前板部９及び飾板１ａは、いずれも同じ色、例えば銀色、に着色されている。そして、透明板保持枠７の上部中央と両側にそれぞれ横長または略逆Ｌ字型の飾り枠２２ａ，２２ｂが設けられる。また、方形状の窓孔２３の周縁に沿って、所定の幅を持った同じく略方形状の飾り枠２２ｃが設けられている。更に、窓孔２３の下方両側に上端部が前記方形状の飾り枠２２ｃと連続するハの字状の飾り枠２２ｄが設けられ、前記打球供給皿１０の下縁に沿って両端が前記ハの字状の飾り枠２２ｄと連続する弧状の飾り枠２２ｅが装着されている。
【００１６】
これらいずれの飾り枠２２ａ〜２２ｅも透光性の合成樹脂材から成形され、前側から視認できるようになっている。しかも、前記すべての飾り枠２２ａ〜２２ｅは、前記透明板保持枠７、下部板８、前板部９及び飾板１ａの色と色相を異ならせている。例えば、すべての飾り枠２２ａ〜２２ｅを赤色に着色する。そして、各飾り枠２２ａ〜２２ｅが所望の形状をなし全体に連続してかつ統一性のある斬新なデザインが成形されるようにしている。前記ハの字状の飾り枠２２ｄとこれと連なる弧状の飾り枠２２ｅは、それぞれ図３（イ）に示すように前記隙間Ｓを挟んで対向する透明板保持枠７、前板部９の端縁部７ａ，９ａに、その長手方向に沿って設けられる。
【００１７】
この内、前記透明板保持枠７の上部中央と両側に装着される各飾り枠２２ａ，２２ｂの内側には、例えば発光源であるＬＥＤ（図示せず。）を配置して点灯、点滅を行い電飾効果を発揮させるようにしている。他の飾り枠２２ｃ〜２２ｅは幅が比較的狭いことから、その内側にＬＥＤを配置してないが、必要であれば配置して電飾効果を発揮させるようにしても良い。
【００１８】
本発明に係るパチンコ機Ｐは上記構成からなり、前記隙間Ｓに沿って飾り枠２２ｄ，２２ｅが設けられ、しかも、前記飾り枠２２ｄ，２２ｅの色は前記透明板保持枠７、下部板８及び前板部９の色と色相を異ならせているので、飾り枠２２ｄ，２２ｅを周囲の色より目立たせることができる。よって、これを見た遊技者はその飾り枠２２ｄ，２２ｅに目を奪われてその部分に集中してしまい、逆に、隙間Ｓによるパーティングラインが目立たなくなる。これにより、デザイン性がほとんど損なわれることがなくなる。
【００１９】
図３（ロ）は下部板８の上縁部８ａに、その長手方向に沿って飾り枠２２を設けたものである。このように、隙間Ｓの下側に飾り枠２２を配置した場合も、前記と同様に本発明の効果は得られる。
【００２０】
前記飾り枠２２ａ〜２２ｅの色は、前記透明板保持枠７、下部板８であるユニット板の色と色相が異なればよいが、できれば飾り枠２２ａ〜２２ｅが目立つ方が良い。例えば、飾り枠２２ａ〜２２ｅの色は、前記ユニット板の色より彩度が高い方が良く、また、飾り枠２２ａ〜２２ｅの色は、前記ユニット板の色より明度が高い方が良い。更には、彩度も明度も共に高い方が良い。このように、彩度または明度、更には、彩度及び明度が高くなることにより、隙間Ｓによるパーティングラインが更に目立たなくなり、パチンコ機前面のデザイン性が極めて優れることになる。
【００２１】
このように、本願発明は、前記各ユニット板間に生ずる隙間Ｓを挟んで対向するいずれかのユニット板の端縁部に、その長手方向に沿って前側から視認できる飾り枠を設けるようにし、前記飾り枠の色をユニット板の色と色相が異なるようにしたので、その隙間Ｓによるパーティングラインが目立たなくなり、もって、パチンコ機前面のデザイン性が性が損なわれず、遊技の興趣が高められる。
【００２２】
前記飾り枠２２ａ〜２２ｅは、透光性の合成樹脂材に限らず、非透光性の部材、例えば合成樹脂、金属、木、セラミックであっても良い。また、図示は省略するが、透明板保持枠の下方に打球供給皿が装着される前面板と余剰球受皿が装着される下部板とがそれぞれ独立して装着されるパチンコ機、または、透明板保持枠の下方に打球供給皿と余剰球受皿とを一緒に設けた下部枠が装着されるパチンコ機についても本発明が適用できる。
【００２３】
【発明の効果】
以上説明したように本発明は、隙間を挟んで対向するいずれかのユニット板の端縁部に、その長手方向に沿って飾り枠を設け、この飾り枠の色を、前記ユニット板の色と色相が異なるようにしたから、その飾り枠をその周囲の色より目立たせることができ、これを見た遊技者はその飾り枠に目を奪われてその部分に集中してしまい、前記隙間によるパーティングラインが目立たなくなる。これにより、パチンコ機前面のデザイン性が損なわれることがなくなり、遊技の興趣が高められ、更には、高い商品価値を維持できるという効果がある。
【００２４】
また、前記飾り枠の色を、ユニット板の色と色相を異ならせ、かつユニット板の色より彩度または明度が高くなるようにし、または、彩度と明度も共に高くなるようにすれば、前記隙間によるパーティングラインがさらに目立たなくなり、パチンコ機前面のデザイン性が優れることになる。更に、飾り枠を透光性の部材により成形すれば、周囲がぼやけるようになってこの場合も隙間によるパーティングラインを目立たせなくするという点で大きな効果がある。
【図面の簡単な説明】
【図１】本発明が適用されるパチンコ機の正面図。
【図２】同透明板保持枠を開いた状態の斜視図。
【図３】（イ）同要部を示す側面断面図。
（ロ）他の実施の形態を示す要部の側面断面図。
【符号の説明】
７                  ユニット板（透明板保持枠）
８                  ユニット板（下部板）
２２ａ〜２２ｅ      飾り枠
Ｐ１                弾球遊技機本体
Ｐ                  弾球遊技機（パチンコ機）
【図１】
2004290530.tif 000003
【図２】
2004290530.tif 000004
【図３】
2004290530.tif 000005